(57)【要約】【課題】  本発明は魚釣用リールに関し、制御ボックスの取付作業性，取付構造の簡素化等を図った魚釣用リールを提供することを目的とする。【解決手段】  フレームと、該フレームの側部に装着される外装部材とで構成されるリール本体にスプールを回転自在に支持すると共に、該リール本体の上部に、糸長計測装置の糸長計測値を表示する表示器を有する制御ボックスを取り付けた魚釣用リールに於て、前記制御ボックスの側部に係合部を形成し、前記フレームに装着される外装部材により、該係合部を介して制御ボックスをフレームに固定したことを特徴とする。【選択図】    図２
2007267729.tif 000002
【特許請求の範囲】
【請求項１】
フレームと、該フレームの側部に装着される外装部材とで構成されるリール本体にスプールを回転自在に支持すると共に、該リール本体の上部に、糸長計測装置の糸長計測値を表示する表示器を有する制御ボックスを取り付けた魚釣用リールに於て、
前記制御ボックスの側部に係合部を形成し、前記フレームに装着される外装部材により、該係合部を介して制御ボックスをフレームに固定したことを特徴とする魚釣用リール。
【請求項２】
前記フレームの側部外周にネジ部を形成すると共に、前記外装部材を、該フレームのネジ部に螺合するネジ部を内周に設けた環状体としたことを特徴とする請求項１に記載の魚釣用リール。
【請求項３】
前記外装部材は前記フレームに取り付く側板で、該側板に、前記制御ボックスの係合部に係合する側板側係合部が形成されていることを特徴とする請求項１または請求項２に記載の魚釣用リール。
【請求項４】
前記側板に機能部材が取り付き、該機能部材の側部に、前記制御ボックスの係合部に係合する側板側係合部が形成されていることを特徴とする請求項３に記載の魚釣用リール。
【発明の詳細な説明】
【技術分野】
【０００１】
本発明は魚釣用リールに係り、詳しくはスプールの回転（回転数と回転方向）から釣糸の繰出し量や巻取り量（糸長）を計測表示する糸長計測装置を備えた魚釣用リールに関する。
【背景技術】
【０００２】
釣果の向上を図るため、近年、多くの魚釣用リールには、糸長を計測表示する糸長計測装置が備えられている。
この糸長計測装置は、リール本体に回転自在に支持したスプールの回転数と回転方向を検出する回転検出装置と、この回転検出装置の検出値を基に糸長を演算計測して、糸長計測値を表示器に表示させるマイクロコンピュータ等の電装部品（電子制御装置）とで構成されており、リール本体の側板（外装部材）間の上部に装着した制御ボックスに電装部品が内装され、糸長計測値を釣人が視認可能に表示器が制御ボックスに設けられている。
【０００３】
而して、従来、制御ボックスの取付構造として、特許文献１には回転検出装置や表示器，マイクロコンピュータ，電源等の電装部品を防水性を有するＬ字状の制御ボックスに収容し、該制御ボックスの水平部をリール本体の上部（左右の側板の上部に設けた切欠部）に着脱自在に嵌着すると共に、垂直部を側板内に収容し、該垂直部の電源収容部を側板に設けた透孔に係合させて、制御ボックスをフレームと側板との間で挟着固定した制御ボックスの取付構造が開示されている。
【０００４】
また、特許文献２には、電装部品を収容する制御ボックスの左右両側部に取付片を下方へ延設し、該取付片を介して制御ボックスをリール本体のフレームの上部側面にネジ止めした制御ボックスの取付構造が開示されている。
【特許文献１】実開昭６０−１２１７５８号公報
【特許文献２】実開平４−４８９７４号公報
【発明の開示】
【発明が解決しようとする課題】
【０００５】
しかし乍ら、特許文献１の従来例にあっては、左右の側板の上部に制御ボックスの水平部を嵌合させる切欠部を設け、また、制御ボックスの垂直部の電源収容部を係合させる透孔を側板に設ける構造上、リール本体の内部に水が浸入し易く、十分な防水性能が得られ難い課題が残されていた。
一方、特許文献２の従来例の如く制御ボックスの左右両側部に取付片を設けてこれをフレームにネジ止めする取付構造にあっては、製造，組立，メンテナンスの点で作業性が悪く、また、部品点数が多くなってしまう欠点が指摘されていた。
【０００６】
また、フレームにネジ締め付け用のスペースが必要であると共に、フレームにネジ孔を設けることで強度が低下してしまう不具合もあった。
本発明は斯かる実情に鑑み案出されたもので、上述の如き従来の不具合を解決して、制御ボックスの取付作業性，取付構造の簡素化等を図った魚釣用リールを提供することを目的とする。
【課題を解決するための手段】
【０００７】
斯かる目的を達成するため、請求項１に係る発明は、フレームと、該フレームの側部に装着される外装部材とで構成されるリール本体にスプールを回転自在に支持すると共に、該リール本体の上部に、糸長計測装置の糸長計測値を表示する表示器を有する制御ボックスを取り付けた魚釣用リールに於て、前記制御ボックスの側部に係合部を形成し、前記フレームに装着される外装部材により、該係合部を介して制御ボックスをフレームに固定したことを特徴とする。
【０００８】
そして、請求項２に係る発明は、請求項１に記載の魚釣用リールに於て、前記フレームの側部外周にネジ部を形成すると共に、前記外装部材を、該フレームのネジ部に螺合するネジ部を内周に設けた環状体としたことを特徴とする。
また、請求項３に係る発明は、請求項１または請求項２に記載の魚釣用リールに於て、前記外装部材は前記フレームに取り付く側板で、該側板に、前記制御ボックスの係合部に係合する側板側係合部が形成されていることを特徴とし、請求項４に係る発明は、請求項３に記載の魚釣用リールに於て、前記側板に機能部材が取り付き、該機能部材の側部に、前記制御ボックスの係合部に係合する側板側係合部が形成されていることを特徴とする。
【発明の効果】
【０００９】
各請求項に係る発明によれば、糸長計測装置の糸長計測値を表示する表示器を有する制御ボックスを、フレームの側部に取り付く外装部材によって位置決め固定する構造としたので、
[1] 例えば、外装部材が側板である場合、リール本体を構成するフレームに装着される側板を、制御ボックス１の取付け固定部として機能部材させることで、フレームへの制御ボックスの取付けに当たり、固定専用ネジやネジ孔が不要となるため、構造の簡素化により部品点数が減少してコストの低減が図れると共に、スペース面での制約がなくなり設計の自由度も向上する。
【００１０】
[2] フレームに装着される外装部材の取付作業と同時に制御ボックスをフレームに固定できるため、作業性が著しく向上する。
[3] 制御ボックスの側面に形成した係合部と、フレームに装着される外装部材との係合作用で制御ボックスをフレームに固定保持する構成としたので、制御ボックスを装着する上での開口部を極力少なくでき、すっきりした外観が得られると共に、リール本体内部に対する防水性能も向上する利点を有する。
【００１１】
そして、請求項２に係る発明によれば、フレームに環状体である外装部材を回転操作してフレームに螺着する作業と同時に制御ボックスをフレームに位置決め固定できるので、一連の組み込み作業の行程で、制御ボックスの取付作業を極めて簡単に行える利点を有する。
更に、請求項４に係る発明によれば、側板に一体的に装着される機能部材に、更に制御ボックスの取付け固定機能を付加させて多機能化を図ることができる。
【発明を実施するための最良の形態】
【００１２】
以下、本発明の実施形態を図面に基づいて詳細に説明する。
図１乃至図５は請求項１乃至請求項３に係る魚釣用リールの第一実施形態を示し、図１に於て、１，３はフレーム５の左右のフレーム枠体５ａ，５ｂに取り付く側板（外装部材）で、両側板１，３とフレーム５とによって魚釣用リール７のリール本体９が構成されている。
【００１３】
図４に示すように側板１，３とフレーム枠体５ａ，５ｂは何れも側面視円形状に形成され、図２に示すように後述するハンドル１１と反対側のフレーム枠体５ａには、その外周に沿って雄ネジ部１３が形成されている。そして、該フレーム枠体５ａに取り付く側板１の端部の周縁部内周に、雄ネジ部１３に螺合する雌ネジ部１５が形成されており、側板１は雄ネジ部１３を雌ネジ部１５に螺着してフレーム５（フレーム枠体５ａ）に固定されるようになっている。
【００１４】
尚、他方の側板３は、従来と同様、ネジを用いたフレーム５（フレーム枠体５ｂ）への取付構造となっている。
そして、両側板１，３間に、スプール軸１７を介してスプール１９が回転自在に支持されており、スプール軸１７の一端側は、フレーム枠体５ａに装着した軸受２１によって支持されている。そして、軸受２１は、フレーム枠体５ａの外側面にネジ止めされた収容ボックス２３により水密性を以って被覆されている。
【００１５】
一方、スプール軸１７の他端側は側板３外に突出し、ブレーキ調節ツマミ２５が取り付く支持部材２７内に装着した軸受２９によって支持されている。そして、スプール軸１７には、該スプール軸１７に設けたクラッチ部３１に係脱可能なピニオンギヤ３３が相対回転可能且つその軸方向へスライド可能に取り付けられており、スプール１９後方の側板１，３間に設けたクラッチレバー３５を下方向へ押圧操作すると、クラッチ部３１とピニオンギヤ３３とのクラッチ係合がクラッチプレート３７で解除（クラッチＯＦＦ）されて、スプール１９が巻取り可能状態からスプールフリー状態に切り換わるようになっている。
【００１６】
また、図１中、１１は釣糸巻取り用のハンドルで、そのハンドル軸３９には前記ピニオンギヤ３３に噛合するドライブギヤ４１が相対回転可能に取り付けられており、ハンドル１１の回転操作による巻取り力が、ドライブギヤ４１とピニオンギヤ３３を介してスプール軸１７からスプール１９に伝達されるようになっている。
そして、既述したスプールフリー状態でハンドル１１を巻取り方向へ回転させると、図示しない周知の復帰機構により前記ピニオンギヤ３３がクラッチ部３１にクラッチ係合（クラッチＯＮ）して、スプール１９が巻取り可能状態に復帰するように構成されており、このクラッチレバー３５とハンドル１１のクラッチＯＮ／ＯＦＦの切換え操作で、スプール１９が巻取り可能状態とスプールフリー状態とに切り換わって、スプール１９へのハンドル１１の巻取り駆動力が伝達／遮断されるようになっている。
【００１７】
そして、ドライブギヤ４１とハンドル軸３９は従来周知のドラグ装置４３によって摩擦結合されており、ドラグ力の調節はハンドル軸３９に回転可能に装着したドラグノブ４５で行うようになっている。
また、図４に示すように反ハンドル側のスプール１９の端部にマグネット４７が固着されると共に、該マグネット４７の回転軌跡に対向してフレーム枠体５ａにホール素子やリードスイッチ等からなる磁気センサ４９が装着されており、これらはスプール１９の回転数とその回転方向を検出する回転検出手段を構成する。
【００１８】
そして、磁気センサ４９は、リール本体９の上部前方に取り付く制御ボックス５１内のマイクロコンピュータに接続されており、マイクロコンピュータのＣＰＵは、特開平５−１０３５６７号公報で開示された糸長計測装置と同様、磁気センサ４９から出力されるスプール１９の正転，逆転の判定信号を取り込んで釣糸の繰出しか巻取りかを判定すると共に、磁気センサ４９から取り込むスプール１９の回転パルス信号をカウントして、この計数値を基にマイクロコンピュータのＲＯＭに記憶された糸長計算式を演算実行するようになっている。そして、ＣＰＵは、その演算結果（糸長計測値）を制御ボックス５１の操作パネル５３上に装着した表示器５５に表示するように構成されているが、本実施形態は、該制御ボックス５１の取付構造に改良を加えたことを特徴とする。
【００１９】
図３は制御ボックス５１の全体斜視図を示し、制御ボックス５１は平面視矩形状に形成され、既述したフレーム枠体５ａ，５ｂ間に架設可能な寸法に設定されている。そして、制御ボックス５１の上部にモードスイッチ５７を備えた操作パネル５３が形成され、該操作パネル５３に表示器５５が装着されると共に、内部にマイクロコンピュータや表示器５５の液晶基板等が水密性を以って収容されている。
【００２０】
一方、図２，図４及び図５に示すようにフレーム枠体５ａ，５ｂには、夫々、制御ボックス５１を載置可能な切欠部５９，６１が設けられており、両切欠部５９，６１によって、制御ボックス５１がリール本体９の上部前方の側板１，３間（フレーム枠体５ａ，５ｂ間）に位置決めされる。
そして、図１及び図３に示すように制御ボックス５１のハンドル側の側面６３の後方には、前記側板３の内周（側板側係合部）３ａに沿って円弧状の突条からなる係合部６５が突設されており、該側板３をフレーム枠体５ｂにネジ止めすると、図５に示すように側板３の内周（側板側係合部）３ａが係合部６５に係合（当接）して、制御ボックス５１が該係合部６５を介して側板３とフレーム枠体５ｂとの間に挟持されるようになっている。
【００２１】
また、図１，図３及び図４に示すように制御ボックス５１の反ハンドル側の側面６７の後方には、前記側板１をフレーム枠体５ａに螺着する際に、該側板１の内周（側板側係合部）１ａが係合する円弧状の突条からなる係合部６９が側板１の内周（側板側係合部）１ａに沿って円弧状に突設されており、側板１をフレーム枠体５ａに螺着すると、側板１の内周（側板側係合部）１ａが係合部６９に係合（当接）して、制御ボックス５１が該係合部６９を介して側板１とフレーム枠体５ａとの間に挟持されるようになっている。
【００２２】
このように、側板３の内周（側板側係合部）３ａが係合部６５に係合して制御ボックス５１が側板３とフレーム枠体５ｂとの間に挟持されると共に、側板１の内周（側板側係合部）１ａが係合部６９に係合して制御ボックス５１が側板１とフレーム枠体５ａとの間に挟持されて、制御ボックス５１がリール本体９の上部前方に抜け止め保持されている。
その他、図４に於て、７１は収容ボックス２３内に収容された磁気センサ４９や電池（図示せず）と制御ボックス５１内のマイクロコンピュータ等との間に配線された複数本のリード線である。
【００２３】
本実施形態はこのように構成されているから、制御ボックス５１をフレーム５に取り付けるには、先ず、フレーム枠体５ａ，５ｂの切欠部５９，６１に制御ボックス５１を載置して、制御ボックス５１をフレーム枠体５ａ，５ｂ間に位置決めする。
そして、側板３の内周（側板側係合部）３ａを制御ボックス５１の側面６３に突設した係合部６５に係合させ乍ら、該側板３をフレーム枠体５ｂにネジ止めすれば、図５に示すように係合部６５と側板３の内周（側板側係合部）３ａを介して制御ボックス５１の側面６３側が側板３とフレーム枠体５ｂとの間に挟持される。
【００２４】
次いで、前記雄ネジ部１３と雌ネジ部１５を介して側板１をフレーム枠体５ａに螺着すると、図４に示すように側板１の内周（側板側係合部）１ａが係合部６９に係合して、制御ボックス５１の側面６７側が、該係合部６９と側板１の内周（側板側係合部）１ａを介して側板１とフレーム枠体５ａとの間に挟持され、制御ボックス５１がリール本体９の上部前方に抜け止め保持されることとなる。
【００２５】
このように本実施形態は、フレーム枠体５ａに取り付く側板１を該フレーム枠体５ａに螺着可能に構成して、フレーム枠体５ａに環状体である側板１を回転操作して螺着する作業と同時に、前記係合部６９と側板１の内周（側板側係合部）１ａを介して制御ボックス５１をフレーム枠体５ａに固定できるので、一連の組み込み作業の行程で制御ボックス５１の取付作業を極めて簡単に行える利点を有する。
【００２６】
而も、リール本体９を構成するフレーム５に装着される側板１，３を、制御ボックス５１の取付け固定部として機能部材させることで、フレーム枠体５ａへの制御ボックス５１の取付けに当たり、固定専用ネジやネジ孔が不要となるため、構造の簡素化により部品点数が減少してコストの低減が図れると共に、スペース面での制約がなくなり設計の自由度も向上する。
【００２７】
更に、制御ボックス５１の側面６７に突設した係合部６９と、フレーム枠体５ａに螺着される側板１の内周（側板側係合部）１ａとの係合作用で制御ボックス５１をフレーム枠体５ａに固定保持する構成としたので、制御ボックス５１を装着する上でリール本体９の開口部を極力少なくでき、すっきりした外観が得られると共に、リール本体９内部に対する防水性能も向上する利点を有する。
【００２８】
尚、前記実施形態は、制御ボックス５１をリール本体９の上部前方に取り付けたが、制御ボックスの取付位置は前記実施形態に限定されるものではない。
即ち、図６及び図７は請求項１乃至請求項３に係る魚釣用リールの第二実施形態を示し、図中、５ａ-1は前記フレーム枠体５ａと同様、フレーム５-1の反ハンドル側のフレーム枠体で、円形状に形成されたその外周には、側板１の雌ネジ部１５が螺着可能な雄ネジ部１３が形成されている。
【００２９】
また、図中、５１-1は前記制御ボックス５１と同一寸法に形成された平面視矩形状の制御ボックスで、側板１側の側面６７-1の中央には、フレーム枠体５ａ-1への側板１の螺着時に、該側板１の内周（側板側係合部）１ａが係合する円弧状の係合部６９-1が突設されている。
そして、フレーム枠体５ａ-1，５ｂの上部中央には、制御ボックス５１-1を載置可能な切欠部５９-1，６１が設けられており、両切欠部５９-1，６１によって、制御ボックス５１-1がリール本体９-1の上部中央の側板１，３間（フレーム枠体５ａ-1，５ｂ間）に位置決めされるようになっている。そして、斯様に切欠部５９-1，６１に制御ボックス５１-1を位置決めして側板１をフレーム枠体５ａ-1に螺着すると、前記実施形態と同様、係合部６９-1が側板１の内周（側板側係合部）１ａに当接して、制御ボックス５１-1が該係合部６９-1と側板１の内周（側板側係合部）１ａを介して側板１とフレーム枠体５ａ-1との間に挟持されるようになっている。
【００３０】
尚、その他の構成は図１の実施形態と同様であるので、同一のものには同一符号を付してそれらの説明は省略する。
このように制御ボックス５１-1の取付位置をリール本体９-1の上部中央とした本実施形態の魚釣用リール７-1も、フレーム枠体５ａ-1に取り付く側板１を該フレーム枠体５ａ-1に螺着可能に構成すると共に、フレーム枠体５ａ-1への側板１の取付けと同時に、前記係合部６９-1と側板１の内周（側板側係合部）１ａを介して制御ボックス５１-1をフレーム枠体５ａ-1に固定できるように構成したので、図１の第一実施形態と同様、所期の目的を達成することが可能で、制御ボックス５１-1の取付作業性が著しく向上する等の利点を有する。
【００３１】
図８は請求項１乃至請求項３に係る魚釣用リールの第三実施形態を示し、本実施形態は、図６及び図７の構成を一部変形したもので、図中、５１-2は前記制御ボックス５１-1と同一寸法に形成された平面視矩形状の制御ボックスで、そのハンドル側の側面６３-1の中央に、正面視円弧状の係合部（係止凹部）７３が設けられている。
また、図中、３-1はフレーム５-2のフレーム枠体５ｂにネジ止めされる側板で、該側板３-1には、これをフレーム枠体５ｂにネジ止めする際に、前記係合部（係止凹部）７３に係合可能な係合片（側板側係合部）７５が突設されており、側板３-1をフレーム枠体５ｂにネジ止めすると、係合部（係止凹部）７３に係合した係合片（側板側係合部）７５を介して、制御ボックス５１-2のハンドル側が側板３-1とフレーム枠体５ｂとの間に取り付くようになっている。
【００３２】
一方、制御ボックス５１-2の反ハンドル側の側面６７-2の中央には、前記係合部６９-1より短寸に突出する円弧状の係合部６９-2が設けられている。
そして、本実施形態に於ても、円形状に形成されたフレーム枠体５ａ-2の外周に雄ネジ部１３が形成されると共に、該フレーム枠体５ａ-2に取り付く側面視円形状に形成された側板１-1側の周縁部内周に、雄ネジ部１３に螺合する雌ネジ部１５が形成されているが、図示するように雌ネジ部１５は、側板１-1の端部からやや内方に設けられている。そして、側板１-1をフレーム枠体５ａ-2に螺着すると、雌ネジ部１５が形成されていない側板１-1の端部内周（側板側係合部）１ａ-1が前記係合部６９-2に係合（当接）して、制御ボックス５１-2の反ハンドル側が、該係合部６９-2と側板１-1の端部内周（側板側係合部）１ａ-1を介してフレーム枠体５ａ-2と側板１-1との間に挟持されるようになっている。
【００３３】
尚、本実施形態に於ても、その他の構成は図１の実施形態と同様であるので、同一のものには同一符号を付してそれらの説明は省略する。
このように、本実施形態に係る魚釣用リール７-2も、フレーム枠体５ａ-2に取り付く側板１-1を該フレーム枠体５ａ-2に螺着可能に構成すると共に、フレーム枠体５ａ-2への側板１-1の取付けと同時に、前記係合部６９-2と側板１-1の端部内周（側板側係合部）１ａ-1を介して制御ボックス５１-2をフレーム枠体５ａ-2に固定できるようにしたので、既述した各実施形態と同様、所期の目的を達成することが可能で、制御ボックス５１-2の取付作業性が著しく向上する等の利点を有する。
【００３４】
図９は請求項１乃至請求項４に係る魚釣用リールの一実施形態を示し、本実施形態は、図８の側板１-1に代え、フレーム枠体５ａ-2の雄ネジ部１３に螺着可能なネジリング（機能部材）７７を用いて、側面視円形状の側板１-2をフレーム枠体５ａ-2に取り付け可能とした魚釣用リール７-3に本発明を適用し、ネジリング７７をフレーム枠体５ａ-2に螺着すると、雌ネジ部１５が形成されていないその端部内周（側板側係合部）７７ａが係合部６９-2に係合（当接）して、制御ボックス５１-2の反ハンドル側が、該係合部６９-2とネジリング７７の端部内周（側板側係合部）７７ａを介してフレーム枠体５ａ-2とネジリング７７との間に挟持されるように構成したものである。
【００３５】
そして、その他の構成は図１の実施形態と同様で、本実施形態によっても、既述した各実施形態と同様、所期の目的を達成することが可能である。
また、機能部材たるネジリング７７に制御ボックス５１-2の取付け固定機能を付加させて、ネジリング７７の多機能化を図ることが可能となった。
図１０及び図１１は請求項１及び請求項３の一実施形態に係る魚釣用リールと制御ボックスの取付構造を示し、本実施形態は、既述した各実施形態の如き丸形リールでなく、左右の側板７９，８１をフレーム８３のフレーム枠体８３ａ，８３ｂに複数本の取付ピン（端部にネジ部を有する棒状の取付ネジ）８５で固定する一般的な魚釣用リール（両軸リール）８７に本発明を適用したもので、ハンドル８９側の側板８１とフレーム枠体８３ｂに、取付ピン８５のピン挿通孔９１，９３がフレーム枠体８３ａ方向に形成されると共に、該フレーム枠体８３ａに取付ピン８５のピン挿通孔９５が形成され、更に側板７９の内周には、取付ピン８５の挿入先端部が螺着する螺着部９７が設けられている。
【００３６】
そして、前記フレーム８３と両側板７９，８１とで構成されるリール本体９９の上部前方に、平面視矩形状に形成された制御ボックス５１-3が装着されており、両フレーム枠体８３ａ，８３ｂの上部には、夫々、制御ボックス５１-3を載置可能な切欠部１０１，１０３が形成され、両切欠部１０１，１０３によって、制御ボックス５１-3がリール本体９９の上部前方の側板７９，８１間（フレーム枠体８３ａ，８３ｂ間）に位置決めされている。
【００３７】
また、前記制御ボックス５１-3の両側面の中央には、フレーム枠体８３ａ，８３ｂに取り付く側板７９，８１の内周（側板側係合部）７９ａ，８１ａが係合する突条の係合部１０５，１０７が該内周（側板側係合部）７９ａ，８１ａに沿って突設されており、切欠部１０１，１０３に制御ボックス５１-3を載置して、取付ピン８５，８７で側板７９，８１をフレーム枠体８３ａ，８３ｂに固定すると、図１１に示すように係合部１０５，１０７と側板７９，８１の内周（側板側係合部）７９ａ，８１ａを介して、制御ボックス５１-3が側板７９，８１とフレーム枠体８３ａ，８３ｂとの間に挟持されるようになっている。
【００３８】
そして、図１１に示すように係合部１０５，１０７に係合する側板７９，８１の内周（側板側係合部）７９ａ，８１ａにテーパθを設けて、取付ピン８５，８７による取付けにより、制御ボックス５１-3がしっかりとフレーム枠体８３ａ，８３ｂに固定されるようになっている。
本実施形態はこのように構成されているから、制御ボックス５１-3をフレーム８３に取り付けるには、フレーム枠体８３ａ，８３ｂの切欠部１０１，１０３に制御ボックス５１-3を載置して、制御ボックス５１-3をフレーム枠体８３ａ，８３ｂ間に位置決めする。
【００３９】
そして、制御ボックス５１-3の両側面に突設した係合部１０５，１０７を側板７９，８１の内周（側板側係合部）７９ａ，８１ａに当接させ乍ら、両側板７９，８１を取付ピン８５でフレーム８３に固定すると、図１１に示すように係合部１０５，１０７と側板７９，８１の内周（側板側係合部）７９ａ，８１ａを介して制御ボックス５１-3が側板７９，８１とフレーム枠体８３ａ，８３ｂとの間に挟持される。そして、既述したように、係合部１０５，１０７に係合する側板７９，８１の内周（側板側係合部）７９ａ，８１ａにはテーパθが設けられているから、取付ピン８５，８７の締め付けに伴い、制御ボックス５１-3がしっかりとフレーム枠体８３ａ，８３ｂに固定されることとなる。
【００４０】
従って、本実施形態によっても、フレーム枠体８３ａ，８３ｂへの側板７９，８１の取付けと同時に、前記係合部１０５，１０７と側板７９，８１の内周（側板側係合部）７９ａ，８１ａを介して制御ボックス５１-3をフレーム８３に固定できるため、既述した各実施形態と同様、制御ボックス５１-3の取付作業性が著しく向上する等の利点を有する。
図１２乃至図１７は請求項１，請求項３及び請求項４の一実施形態に係る魚釣用リールを示し、図１２中、５ａ-4，５ｂ-4はフレーム５-4のフレーム枠体で、図１の実施形態と同様、円形状に形成されたフレーム枠体５ａ-4，５ｂ-4に側面視円形状に形成された側板１-4，３-4がネジ止めされて、魚釣用リール７-4のリール本体９-4が形成されている。
【００４１】
そして、フレーム枠体５ａ-4，５ｂ-4に、制御ボックス５１-4を載置可能な切欠部５９，６１が設けられており、両切欠部５９，６１によって、制御ボックス５１-4がリール本体９-4の上部前方の側板１-4，３-4間（フレーム枠体５ａ-4，５ｂ-4間）に位置決めされる。
制御ボックス５１-4は、既述した制御ボックス５１と同一寸法に形成された平面視矩形状の制御ボックスで、図１２，図１３及び図１５に示すようにその両側面６３-4，６７-4の前後に、夫々、２つの係合部（係合孔）１０９，１１１が設けられている。
【００４２】
一方、上述したようにフレーム枠体５ａ-4，５ｂ-4に側板１-4，３-4がネジ止めされているが、図１２，図１６及び図１７に示すように側板１-4，３-4には、リール本体９-4に装着した周知のレベルワインド機構１１３側に、魚釣用リール７-4を握持保持した手の指が滑って入り込まないように左右から保護したり、或いは制御ボックス５１-4を外力から積極的に保護する一対のガードプレート（機能部材）１１５がネジ止めされている。
【００４３】
図１６及び図１７に示すようにガードプレート１１５は、側板１-4，３-4からリール本体９-4の上方へ突出する金属製の板材からなり、その外周縁は制御ボックス５１-4側からレベルワインド機構１１３側へと順次幅広な円弧状に形成されている。そして、図１４に示すようにガードプレート１１５は、夫々、側板１-4，３-4にネジ１１７でネジ止めされて側板１-4，３-4と一体化されている。
【００４４】
そして、図１２及び図１３に示すように左右一対のガードプレート１１５の側部に、前記係合部（係合孔）１０９，１１１に係合（挿入）可能な２本の係合ピン（側板側係合部）１１９が側板１-4，３-4に亘って垂直に圧入固定されており、前記切欠部５９，６１に制御ボックス５１-4を載置して、該制御ボックス５１-4をフレーム枠体５ａ-4，５ｂ-4に位置決めした後、前記係合ピン（側板側係合部）１１９を夫々係合部（係合孔）１０９，１１１に係合（挿入）させて側板１-4，３-4をフレーム枠体５ａ-4，５ｂ-4にネジ止めすると、制御ボックス５１-4がフレーム枠体５ａ-4，５ｂ-4に位置決め固定できるようになっている。
【００４５】
本実施形態はこのように構成されているから、既述したように制御ボックス５１-4をフレーム５-4に取り付けるには、前記切欠部５９，６１に制御ボックス５１-4を載置してフレーム枠体５ａ-4，５ｂ-4に位置決めした後、前記係合ピン（側板側係合部）１１９を係合部（係合孔）１０９，１１１に係合（挿入）させて側板１-4，３-4をフレーム枠体５ａ-4，５ｂ-4にネジ止めすれば、図１３に示すように係合ピン（側板側係合部）１１９と係合部（係合孔）１０９，１１１を介して制御ボックス５１-4が、リール本体９-4の上部前方に位置決め固定されて抜け止め保持されることとなる。
【００４６】
このように本実施形態は、フレーム枠体５ａ-4，５ｂ-4への側板１-4，３-4のネジ止め作業と同時に、係合ピン（側板側係合部）１１９と係合部（係合孔）１０９，１１１を介して制御ボックス５１-4をリール本体９-4の上部前方に位置決め固定できるので、本実施形態によっても、一連の組み込み作業の行程で制御ボックス５１-4の取付作業を極めて簡単に行える利点を有する。
【００４７】
そして、本実施形態にあっても、リール本体９-4を構成するフレーム５-4に装着される側板１-4，３-4を、制御ボックス５１-4の取付け固定部として機能部材させることで、フレーム５-4への制御ボックス５１-4の取付けに当たり、固定専用ネジやネジ孔が不要となるため、構造の簡素化により部品点数が減少してコストの低減が図れると共に、スペース面での制約がなくなり設計の自由度も向上する。
【００４８】
更に、制御ボックス５１-4の両側面６３-4，６７-4に設けた係合部（係合孔）１０９，１１１と、ガードプレート１１５から突出させた係合ピン（側板側係合部）１１９との係合作用で制御ボックス５１-4をフレーム５-4に位置決め固定して保持する構成としたので、制御ボックス５１-4を装着する上でリール本体９-4の開口部を極力少なくでき、すっきりした外観が得られると共に、リール本体９-4内部に対する防水性能も向上する利点を有する。
【００４９】
また、機能部材たるガードプレート１１５に制御ボックス５１-4の取付け固定機能を付加させて、ガードプレート１１５の更なる多機能化を図ることが可能となった。
【図面の簡単な説明】
【００５０】
【図１】請求項１乃至請求項３の第一実施形態に係る魚釣用リールの平面図である。
【図２】図１に示す魚釣用リールの側板を取り外した状態の平面図である。
【図３】制御ボックスの全体斜視図である。
【図４】図１のIX−IX線断面図である。
【図５】制御ボックスの要部切欠き正面図である。
【図６】請求項１乃至請求項３の第二実施形態に係る魚釣用リールの要部拡大断面図である。
【図７】図６のVII−VII線断面図である。
【図８】請求項１乃至請求項３の第三実施形態に係る魚釣用リールに装着した制御ボックスの要部切欠き正面図である。
【図９】請求項１乃至請求項４の一実施形態に係る魚釣用リールに装着した制御ボックスの要部切欠き正面図である。
【図１０】請求項１及び請求項３の一実施形態に係る魚釣用リールの平面図である。
【図１１】図１０のXI−XI線断面図である。
【図１２】請求項１，請求項３及び請求項４の一実施形態に係る魚釣用リールの平面図である。
【図１３】制御ボックスの要部切欠き正面図である。
【図１４】制御ボックスの要部切欠き正面図である。
【図１５】制御ボックスの全体斜視図である。
【図１６】魚釣用リールの全体斜視図である。
【図１７】魚釣用リールの断面図である。
【符号の説明】
【００５１】
１，１-1，１-2，１-4，３，３-1，３-4，７９，８１  側板
１ａ，３ａ，７９ａ，８１ａ  内周（側板側係合部）
５，５-1，５-2，５-4，８３  フレーム
５ａ，５ａ-1，５ａ-2，５ａ-4，５ｂ，５ｂ-4，８３ａ，８３ｂ  フレーム枠体
７，７-1，７-2，７-3，７-4，８７  魚釣用リール
９，９-1，９-4，９９  リール本体
１１  ハンドル
１３  雄ネジ部
１５  雌ネジ部
１７  スプール軸
１９  スプール
２３  収容ボックス
３５  クラッチレバー
４７  マグネット
４９  磁気センサ
５１，５１-1，５１-2，５１-3，５１-4  制御ボックス
５５  表示器
５９，５９-1，６１，１０１，１０３  切欠部
６５，６９，６９-1，６９-2，７３，１０５，１０７，１０９，１１１  係合部
７５  係合片（側板側係合部）
７７  ネジリング
７７ａ  端部内周（側板側係合部）
８５  取付ピン
９１，９３，９５  ピン挿通孔
９７  螺着部
１１７  ネジ
１１９  係合ピン（側板側係合部）
【図１】
2007267729.tif 000003
【図２】
2007267729.tif 000004
【図３】
2007267729.tif 000005
【図４】
2007267729.tif 000006
【図５】
2007267729.tif 000007
【図６】
2007267729.tif 000008
【図７】
2007267729.tif 000009
【図８】
2007267729.tif 000010
【図９】
2007267729.tif 000011
【図１０】
2007267729.tif 000012
【図１１】
2007267729.tif 000013
【図１２】
2007267729.tif 000014
【図１３】
2007267729.tif 000015
【図１４】
2007267729.tif 000016
【図１５】
2007267729.tif 000017
【図１６】
2007267729.tif 000018
【図１７】
2007267729.tif 000019